(57)【要約】      （修正有）【課題】可視孔のサイズ、ブリッジ、リムとリムとの距離、テンプルの距離や長さなどを調整可能なメガネフレームを提供する。【解決手段】メガネフレーム本体と、レンズ部と、ブリッジ部と、装着部とを含み、メガネフレーム本体はブリッジ部で連結した二つのリムの内部にレンズ部を設け、両側にテンプルを含んでなる装着部を具え、レンズ部は横移動フレームと、縦移動フレームと、横移動片と、回転盤とを含み、リムには滑動レールが設けられ、横移動フレームの内部にも滑動溝が設けられ、縦移動フレームには凸環状端縁部と、凹設置エリアと、補助部材とが設けられ、凹設置エリアは溝孔が設けられた横移動片を設け、回転盤は溝孔に対応する位置に突起を具え、外側を被覆するように凸環状端縁部が設けられて環状凸部を係合し、回転盤を位置決めし、横移動片上にそれぞれが半分ずつの可視孔が設けられ、横移動片の位置を変えて可視孔の大きさを変えることができる。【選択図】図１
0003148942.tif 000002
【実用新案登録請求の範囲】
【請求項１】
メガネフレーム本体と、レンズ部と、ブリッジ部と、装着部とを含んでなり、
該メガネフレーム本体は、二つのリムの内部にそれぞれレンズ部を設けてなり、二つのリムは中間に設けられたブリッジ部によって連結され、メガネフレーム本体は、両側それぞれに設けられた二つのテンプルを含んでなる装着部を具えてなり、
該レンズ部は、二つのリムの内部にそれぞれ設けられた横移動フレームと、縦移動フレームと、互い違いに対応するように設けられた二つの横移動片と、回転盤と、を含んでなり、該リムにはそれぞれ滑動レールが設けられ、該横移動フレームの内部にも縦移動フレームの二つの滑動槽を嵌設し、滑動して移動させるために供する二つの滑動溝が設けられ、該縦移動フレームには、凸環状端縁部と、該凸環状端縁部の内部に形成された凹設置エリアと、補助部材とが設けられ、該凹設置エリアは、互い違いに対応した二つの横移動片を設け、該補助部材上を滑動して移動させるために供し、該二つの横移動片上には、一つが上方、一つが下方の垂直な方向に形成された略長方形を呈する溝孔が設けられ、該回転盤は、該二つの溝孔に対応する位置に突起を具えてなり、該突起は、該溝孔の内部に挿設され滑動し、該回転盤は、外側を被覆するように凸環状端縁部が設けられ、該回転盤は、環状凸部を具えてなり、凸環状端縁部は、環状凹槽に対応して設けられ、環状凸部を係合し、回転盤を位置決めするとともに、回転盤が回転して互い違いに対応するように設けられる二つの横移動片の位置を変えることができ、該二つの横移動片上にそれぞれが半分ずつの互い違いに対応した可視孔が設けられ、横移動片を異なる位置に設けて可視孔の大きさを変えることができる構造からなることを特徴とする調整可能なメガネフレーム。
【請求項２】
前記ブリッジ部が、支桿と、接続座と、鼻パッドとを含んでなり、該接続座は、滑動槽と、歯状端縁部とを設けてなり、該二つのリムは、ブリッジ部の滑動槽に対応して設けられた滑動レールと、突起と、該支桿に対応して設けられた支桿を伸縮するために供する凹孔と、を具えてなり、該鼻パッドは、接続座の凹槽に嵌合する球体を設けてなり、該接続座が、支桿を嵌合して固定するための嵌合部材を設けてなり、該二つのリムが滑動レールと突起を接続座の滑動槽や歯状端縁部上に滑動して移動し、調整して位置決めすると、歯状の凸凹が段落ごとに移動している構造からなることを特徴とする請求項１に記載の調整可能なメガネフレーム。
【請求項３】
前記装着部が、メガネフレーム本体に設けられた滑動槽と、歯状端縁部とを含んでなり、該テンプルには滑動レールと、突起とが設けられ、該テンプルの滑動レールがメガネフレーム本体の滑動槽に嵌合して滑動して移動するとともに、突起が歯状端縁部上で押し動かされて、歯状の凸凹が長さ調節の段落となるように移動した突起を位置決めする構造からなることを特徴とする請求項１に記載の調整可能なメガネフレーム。
【考案の詳細な説明】
【技術分野】
【０００１】
この考案は、調整可能なメガネフレームに関し、特に視力を矯正するために使用し、リムやテンプルの長さを調節することができる調整可能なメガネフレームに関する。
【背景技術】
【０００２】
時代が進歩し、現代人が都会に密集して暮らすようになり、多くの児童の屋外における活動時間が減少し、室内でテレビや、コンピューターゲームに費やす時間が増加している。
【０００３】
社会の多様化に伴って、現代の子供達は比較的早い時期からテレビ、或いはコンピュータに接するため、幼児、児童が近視になる状況が日増しに深刻化し、国全体の視力に影響を与えている。
【０００４】
児童は一度近視になると、家長は視力の悪化を防ぐために、急いで児童にメガネをつけさせる。
【０００５】
しかしながら、多くの児童の近視は、偽近視である。偽近視の場合、初期にメガネをかけなくても、視力矯正用の機材で矯正することにより、正常な視力に戻すことができ、国家の将来にとって有意義なことである。
【０００６】
従来の視力矯正片は、片体上の可視孔が固定されている。
【０００７】
よって、可視孔のサイズを変更することが難しい。一般的に複数の片体を準備する必要があり、可視孔を変更する必要がある場合、必要な視力矯正片を選択しなければならないため、使用上非常に不便であるとともに、片体をなくし易い。
【０００８】
従来の視力矯正用のメガネフレームは、いずれもサイズが固定されている。このため、現代の児童のように成長が早いと、もともと使用していた視力矯正用のメガネフレームは、一定期間使用すると、小さくなるため、購入し直さなければならない。
【０００９】
よって、費用がかさむとともに、子供の成長に合わせて引き続き買いなおさなければならないため、無駄になり易い。
【００１０】
また、可視孔の多くは固定されているため、瞳孔と正確に合わせ難いことは非常に深刻な問題になっている。
【考案の開示】
【考案が解決しようとする課題】
【００１１】
この考案は、複数の片体を使用することができるとともに、可視孔のサイズを調整することができる調整可能なメガネフレームを提供することを課題とする。
【００１２】
また、この考案は、ブリッジ、リムとリムとの距離、テンプルの距離や長さなどを調整することができる調整可能なメガネフレームを提供することを課題とする。
【課題を解決するための手段】
【００１３】
そこで、本考案者は従来の技術に見られる欠点に鑑みて鋭意研究を重ねた結果、メガネフレーム本体と、レンズ部と、ブリッジ部と、装着部とを含んでなり、
該メガネフレーム本体は、二つのリムの内部にそれぞれレンズ部を設けてなり、二つのリムは中間に設けられたブリッジ部によって連結され、メガネフレーム本体は、両側それぞれに設けられた二つのテンプルを含んでなる装着部を具えてなり、
該レンズ部は、二つのリムの内部にそれぞれ設けられた横移動フレームと、縦移動フレームと、互い違いに対応するように設けられた二つの横移動片と、回転盤と、を含んでなり、該リムにはそれぞれ滑動レールが設けられ、該横移動フレームの内部にも縦移動フレームの二つの滑動槽を嵌設し、滑動して移動させるために供する二つの滑動溝が設けられ、該縦移動フレームには、凸環状端縁部と、該凸環状端縁部の内部に形成された凹設置エリアと、補助部材とが設けられ、該凹設置エリアは、互い違いに対応した二つの横移動片を設け、該補助部材上を滑動して移動させるために供し、該二つの横移動片上には、一つが上方、一つが下方の垂直な方向に形成された略長方形を呈する溝孔が設けられ、該回転盤は、該二つの溝孔に対応する位置に突起を具えてなり、該突起は、該溝孔の内部に挿設され滑動し、該回転盤は、外側を被覆するように凸環状端縁部が設けられ、該回転盤は、環状凸部を具えてなり、凸環状端縁部は、環状凹槽に対応して設けられ、環状凸部を係合し、回転盤を位置決めするとともに、回転盤が回転して互い違いに対応するように設けられる二つの横移動片の位置を変えることができ、該二つの横移動片上にそれぞれが半分ずつの互い違いに対応した可視孔が設けられ、横移動片を異なる位置に設けて可視孔の大きさを変えることができる構造からなる調整可能なメガネフレームの構造によって課題を解決できる点に着眼し、かかる知見に基づいて本考案を完成させた。
【００１４】
以下、この考案について具体的に説明する。
請求項１に記載の調整可能なメガネフレームは、メガネフレーム本体と、レンズ部と、ブリッジ部と、装着部とを含んでなり、
該メガネフレーム本体は、二つのリムの内部にそれぞれレンズ部を設けてなり、二つのリムは中間に設けられたブリッジ部によって連結され、メガネフレーム本体は、両側それぞれに設けられた二つのテンプルを含んでなる装着部を具えてなり、
該レンズ部は、二つのリムの内部にそれぞれ設けられた横移動フレームと、縦移動フレームと、互い違いに対応するように設けられた二つの横移動片と、回転盤と、を含んでなり、該リムにはそれぞれ滑動レールが設けられ、該横移動フレームの内部にも縦移動フレームの二つの滑動槽を嵌設し、滑動して移動させるために供する二つの滑動溝が設けられ、該縦移動フレームには、凸環状端縁部と、該凸環状端縁部の内部に形成された凹設置エリアと、補助部材とが設けられ、該凹設置エリアは、互い違いに対応した二つの横移動片を設け、該補助部材上を滑動して移動させるために供し、該二つの横移動片上には、一つが上方、一つが下方の垂直な方向に形成された略長方形を呈する溝孔が設けられ、該回転盤は、該二つの溝孔に対応する位置に突起を具えてなり、該突起は、該溝孔の内部に挿設され滑動し、該回転盤は、外側を被覆するように凸環状端縁部が設けられ、該回転盤は、環状凸部を具えてなり、凸環状端縁部は、環状凹槽に対応して設けられ、環状凸部を係合し、回転盤を位置決めするとともに、回転盤が回転して互い違いに対応するように設けられる二つの横移動片の位置を変えることができ、該二つの横移動片上にそれぞれが半分ずつの互い違いに対応した可視孔が設けられ、横移動片を異なる位置に設けて可視孔の大きさを変えることができる構造からなる。
【００１５】
請求項２に記載の調整可能なメガネフレームは、請求項１におけるブリッジ部が、支桿と、接続座と、鼻パッドとを含んでなり、該接続座は、滑動槽と、歯状端縁部とを設けてなり、該二つのリムは、ブリッジ部の滑動槽に対応して設けられた滑動レールと、突起と、該支桿に対応して設けられた支桿を伸縮するために供する凹孔と、を具えてなり、該鼻パッドは、接続座の凹槽に嵌合する球体を設けてなり、該接続座が、支桿を嵌合して固定するための嵌合部材を設けてなり、該二つのリムが滑動レールと突起を接続座の滑動槽や歯状端縁部上に滑動して移動し、調整して位置決めすると、歯状の凸凹が段落ごとに移動している構造からなる。
【００１６】
請求項３に記載の調整可能なメガネフレームは、請求項１における装着部が、メガネフレーム本体に設けられた滑動槽と、歯状端縁部とを含んでなり、該テンプルには滑動レールと、突起とが設けられ、該テンプルの滑動レールがメガネフレーム本体の滑動槽に嵌合して滑動して移動するとともに、突起が歯状端縁部上で押し動かされて、歯状の凸凹が長さ調節の段落となるように移動した突起を位置決めする構造からなる。
【考案の効果】
【００１７】
この考案による調整可能なメガネフレームは、幅、長さなどが調整可能なため、どのような頭の形状、顔型の携帯者でも使用に適しているという効果を有する。
【考案を実施するための最良の形態】
【００１８】
この考案は、複数の片体を使用でき、可視孔のサイズ、ブリッジ、リムとリムとの距離、テンプルの距離や長さなどを調整することができる調整可能なメガネフレームであって、メガネフレーム本体と、レンズ部と、ブリッジ部と、装着部とを含んでなり、
該メガネフレーム本体は、二つのリムの内部にそれぞれレンズ部を設けてなり、二つのリムは中間に設けられたブリッジ部によって連結され、メガネフレーム本体は、両側それぞれに設けられた二つのテンプルを含んでなる装着部を具えてなり、
該レンズ部は、二つのリムの内部にそれぞれ設けられた横移動フレームと、縦移動フレームと、互い違いに対応するように設けられた二つの横移動片と、回転盤と、を含んでなり、該リムにはそれぞれ滑動レールが設けられ、該横移動フレームの内部にも縦移動フレームの二つの滑動槽を嵌設し、滑動して移動させるために供する二つの滑動溝が設けられ、該縦移動フレームには、凸環状端縁部と、該凸環状端縁部の内部に形成された凹設置エリアと、補助部材とが設けられ、該凹設置エリアは、互い違いに対応した二つの横移動片を設け、該補助部材上を滑動して移動させるために供し、該二つの横移動片上には、一つが上方、一つが下方の垂直な方向に形成された略長方形を呈する溝孔が設けられ、該回転盤は、該二つの溝孔に対応する位置に突起を具えてなり、該突起は、該溝孔の内部に挿設され滑動し、該回転盤は、外側を被覆するように凸環状端縁部が設けられ、該回転盤は、環状凸部を具えてなり、凸環状端縁部は、環状凹槽に対応して設けられ、環状凸部を係合し、回転盤を位置決めするとともに、回転盤が回転して互い違いに対応するように設けられる二つの横移動片の位置を変えることができ、該二つの横移動片上にそれぞれが半分ずつの互い違いに対応した可視孔が設けられ、横移動片を異なる位置に設けて可視孔の大きさを変えることができる構造からなる調整可能なメガネフレームの構造と特徴を詳述するために具体的な実施例を挙げ、図示を参照にして以下に説明する。
【実施例】
【００１９】
図１から図１０は、この考案の視力矯正用のメガネフレームを示したものである。
【００２０】
この考案のメガネフレームは、メガネフレーム本体１０と、レンズ部２０と、ブリッジ部３０と、装着部４０とを含んでなる。
【００２１】
該メガネフレーム本体１０は、二つのリム１１、１２の内部にレンズ部２０を設けてなる。該二つのリム１１、１２は、中間に設けられたブリッジ部３０によって連結される。また、メガネフレーム本体１０は、両側それぞれに設けられた二つのテンプル４１、４２を含んでなる装着部４０を具えてなる。
【００２２】
該レンズ部２０はそれぞれ二つのリム１１、１２の内部に設けられた横移動フレーム２１と、縦移動フレーム２２と、互い違いに対応するように設けられた二つの横移動片２３、２４と、回転盤２５と、を含んでなる。
【００２３】
該リム１１、或いは１２にはそれぞれ、滑動レール１１１、１２１が設けられる。該横移動フレーム２１に設けられた二つの滑動槽２１１は、該リム１１、１２の滑動レール１１１、或いは１２１に嵌設して設けられ、滑動して移動させることができる。
【００２４】
該横移動フレーム２１の内部には二つの滑動レール２１２が設けられ、縦移動フレーム２２の二つの滑動槽２２１に嵌設し、滑動して移動させるために供する。
【００２５】
該縦移動フレーム２２には、凸環状端縁部２２２と、該凸環状端縁部２２２の内部に形成された凹設置エリア２２３と、補助部材２２４とが設けられる。
【００２６】
該凹設置エリア２２３は、互い違いに対応した二つの横移動片２３、24を設け、該補助部材２２４上を滑動して移動させるために供する。
【００２７】
該互い違いに対応するように設ける二つの横移動片２３、２４上には、一つが上方、一つが下方に位置する垂直な方向に形成された略長方形を呈する溝孔２３１、２４１を設ける。
【００２８】
該回転盤２５は、該二つの溝孔２３１、２４１に対応する位置に突起２５１を具なえてなる。
【００２９】
該突起２５１は、該溝孔２３１、２４１の内部に挿設され滑動する。
【００３０】
該回転盤２５は、外側を被覆するように凸環状端縁部２２２が設けられ、該回転盤２５は、環状凸部２５２を具えてなる。
【００３１】
また、凸環状端縁部２２２は、環状凹槽２２２１に対応して設けられ、環状凸部２５２を係合し、回転盤２５を位置決めするとともに、回転盤２５が回転して互い違いに対応するように設けられる二つの横移動片２３、２４の位置を変えることができる。
【００３２】
該ブリッジ部３０は、支桿３１と、接続座３２と、鼻パッド３３とを含んでなる。
【００３３】
該接続座３２は、滑動槽３２１と、歯状端縁部３２２とを設けてなる。
【００３４】
該二つのリム１１、１２は、ブリッジ部３０の滑動槽に対応して設けられた滑動レール１１２、１２２と、突起１１３、１２３と、該支桿３１に対応して設けられた凹孔１１４、１２４と、を具えてなる。
【００３５】
該鼻パッド３３は、接続座３２の凹槽３２３に嵌合する球体３３１を設けてなる。
【００３６】
該装着部４０は、メガネフレーム本体１０に設けられた滑動槽１３と、歯状端縁部１４とを含んでなる。
【００３７】
該テンプル４１、４２には滑動レール４１１、４２１と、突起４１２、４２２とが設けられる。
【００３８】
該テンプル４１、４２の滑動レール４１１、４２１がメガネフレーム本体１０の滑動槽１３に嵌合して滑動して移動するとともに、突起４１２、４２２が歯状端縁部１４上を押し動かされて、歯状の凸凹が長さ調節の段落となるように移動した突起４１２、４２２を位置決めする。
【００３９】
図１に開示するように、該メガネフレーム本体１０に設けられた二つのリム１１、１２は、ブリッジ部３０によって連結される。
【００４０】
該ブリッジ部３０は、支桿３１とレンズ部２０の横移動フレーム２１を嵌合し、滑動して移動するために供する該リム１１、１２にそれぞれ設けられた滑動レール１１１、１２１とを含んでなる。
【００４１】
また、メガネフレーム本体１０の両側にはそれぞれ、装着部４０の二つのテンプル４１、４２が設けられる。
【００４２】
図２から図６に開示するように、該レンズ部２０は、メガネフレーム本体１０に設けられた滑動レール１２１と、横移動フレーム２１とを含んでなる。
【００４３】
該横移動フレーム２１は、該リム１１、１２の滑動レール１２１に嵌合して滑動し、移動することができる二つの滑動槽２１１を設けてなる。
【００４４】
該横移動フレーム２１の内側にも二つの滑動レール２１２が設けられ、縦移動フレーム２２の二つの滑動槽２２１を嵌合して滑動して移動するために供する。
【００４５】
該縦移動フレーム２２は、凸環状端縁部２２２と、凸環状端縁部２２２の内部に形成された凹設置エリア２２３と、補助部材２２４とを設けてなる。
【００４６】
該凹設置エリア２２３は、互い違いになるように二つの横移動片２３、２４を設けるとともに、補助部材２２４上を滑動して移動させる。
【００４７】
該互い違いに設ける二つの横移動片２３、２４は、表面に、一つが上方、一つが下方という垂直な方向に略長方形の溝孔２３１、２４１を設けてなる。
【００４８】
該回転盤２５は、二つの溝孔２３１、２４１に対応して突起２５１を突設する。該突起２５１は、溝孔２３１、２４１内に挿設するため、滑動して移動することができる。
【００４９】
該回転盤２５は、外側を被覆するように凸環状端縁部２２２に設けられ、該回転盤２５には環状凸部２５２が設けられる。
【００５０】
凸環状端縁部２２２は、環状凹溝２２２１に対応して設けられ、環状凸部２５２に係合して回転盤２５を位置決めするとともに、回転盤２５を回転して二つの横移動片２３、２４の位置を変えることができる。
【００５１】
該横移動片２３、２４が対応する場所にはそれぞれ半分だけ形成された可視孔２３２、２４２が設けられる。
【００５２】
よって、横移動片２３、２４をどのように対応させて設けるかで可視孔２３２、２４２の大きさを変更することができる。
【００５３】
図７から図９に開示するように、ブリッジ部３０は、支桿３１と、接続座３２と、鼻パッド３３とを含んでなる。
【００５４】
該接続座３２は、滑動槽３２１と、歯状端縁部３２２とを設けてなる。
【００５５】
該二つのリム１１、１２は、ブリッジ部３０の滑動槽３２１に対応して設けられた滑動レール１１２、１２２と、突起１１３、１２３と、該支桿３１に対応して設けられた凹孔１１４、１２４とを設けてなる。
【００５６】
該鼻パッド３３は、接続座３２の凹槽３２３内に嵌設するための球体３３１を設けてなる。
【００５７】
接続座３２は、支桿３１を嵌合して固定するための嵌合部材３２４を設けてなる。該支桿３１は、凹孔１１４、１２４内を滑動して移動し、伸縮する。
【００５８】
滑動レール１１２、１２２は、滑動槽３２１の内部を滑動して移動するとともに、突起１１３、１２３が歯状端縁部３２２の内部に係合するため滑動移動が制御される、歯状の凸凹が一段ごとに移動を制御されているような感じになる。
【００５９】
図１０に開示するように、ブリッジ部３０は、メガネフレーム本体１０に設けられた滑動槽１３と歯状端縁部１４とを含んでなる。
【００６０】
該テンプル４１、４２は、滑動レール４１１、４２１と、突起４１２、４２２とを設けてなる。
【００６１】
該テンプル４１、４２の滑動レール４１１、４２１は、メガネフレーム本体１０の滑動槽１３に嵌合して滑動し移動するとともに、突起４１２、４２２が歯状端縁部１４上を推し進められ、歯状の凸凹が段落ごとに推移しているように位置決めすることができる。
【００６２】
この考案は、レンズ部の回転盤が回転すると、横移動片の位置が移動して調整することができ、可視孔を拡大、或いは縮小して着用者の視界がはっきりと見えるようにすることができる。
【００６３】
レンズ部は、横移動フレームと、縦移動フレームの調整をして可視孔を瞳孔に対して正確な位置に設けることができる。
【００６４】
レンズ部の可視孔のサイズを調整して、レンズ部をＸ、Ｙ軸の方向に調整することができる。
【００６５】
ブリッジ部は、二つのリムの距離を調整することができ、テンプルは、伸縮してＺ軸方向に調整することができるため、異なる頭の形状や顔型の人の着用にも適している。
【００６６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００６７】
【図１】この考案の矯正用メガネのフレームを示した斜視図である。
【図２】この考案の矯正用メガネのフレームを長手方向に切断した状態を示した断面図である。
【図３】この考案の矯正用メガネのフレームの可視部を示した分解図である。
【図４】この考案の矯正用メガネのフレームを示した断面図である。
【図５】この考案の矯正用メガネのフレームを長手方向に垂直な方向で切断した状態を示した断面図である。
【図６】この考案の矯正用メガネのフレームの可視部を示した平面図である。
【図７】この考案の矯正用メガネのフレームのブリッジを示した分解図である。
【図８】この考案の矯正用メガネのフレームのブリッジ部を長手方向に垂直な方向に切断した状態を示した断面図である。
【図９】この考案の矯正用メガネのフレームのブリッジ部を示した他の断面図である。
【図１０】この考案の矯正用メガネのフレームのテンプルを示した分解図である。
【符号の説明】
【００６８】
１０       メガネフレーム本体
１１       リム
１１１     滑動レール
１１２     滑動レール
１１３     突起
１１４     凹孔
１２       リム
１２１     滑動レール
１２２     滑動レール
１２３     突起
１２４     凹孔
１３       滑動槽
１４       歯状端縁部
２０       レンズ部
２１       横移動フレーム
２１１     滑動槽
２１２     滑動レール
２２       縦移動フレーム
２２１     滑動槽
２２２     凸環状端縁部
２２２１   環状凹槽
２２３     凹設置エリア
２２４     補助部材
２３       横移動片
２３１     溝孔
２３２     可視孔
２４       横移動片
２４１     溝孔
２４２     可視孔
２５       回転盤
２５１     突起
２５２     環状凸部
３０       ブリッジ部
３１       支桿
３２       接続座
３２１     滑動槽
３２２     歯状端縁部
３２３     凹槽
３２４     嵌合部材
３３       鼻パッド
３３１     球体
４０       装着部
４１       テンプル
４１１     滑動レール
４１２     突起
４２       テンプル
４２１     滑動レール
４２２     突起
【図１】
0003148942.tif 000003
【図２】
0003148942.tif 000004
【図３】
0003148942.tif 000005
【図４】
0003148942.tif 000006
【図５】
0003148942.tif 000007
【図６】
0003148942.tif 000008
【図７】
0003148942.tif 000009
【図８】
0003148942.tif 000010
【図９】
0003148942.tif 000011
【図１０】
0003148942.tif 000012